(57)【要約】      （修正有）【課題】葬儀場に飾られる遺影額に大小があっても、その大きさに対応して伸縮調整でき、また遺影の周囲を体裁良く隠蔽して飾ることができる額縁装置を提供する。【解決手段】遺影額Ｐの大きさに対応して収納支持区域を調整可能にした額縁本体１と、額縁本体１内に収納した遺影額Ｐにおける正面周囲を隠蔽する遺影カバー２０とから成る。額縁本体１は、遺影額Ｐにおける四囲辺縁に配置する枠部材２と、縦・横方向で隣り合う枠部材２に跨がって遺影額Ｐの隅部それぞれに配置し、枠部材２に対して相対的に移動自在にして嵌め合わせた正面から見てＬ字状を呈する伸縮枠材３と、移動調整後の枠部材２、伸縮枠材３相互の嵌め合わせ位置を固定する伸縮固定手段１０と、収納した遺影額Ｐの正面の四囲を支持するよう枠部材２、伸縮枠材３のいずれかに設けた額支持片５と、遺影額Ｐの背面で遺影額Ｐを枠部材２に固定するストッパー１５とを備える。【選択図】図１
0003205029.tif 000002
【実用新案登録請求の範囲】
【請求項１】
遺影額を収納支持する収納支持区域が遺影額の高さ、幅員に対応して調整可能にされている額縁本体と、額縁本体内に収納された遺影額における正面周囲を隠蔽する遺影カバーとから成り、額縁本体は、遺影額における四囲の辺縁で配置される枠部材と、縦・横方向で隣り合う枠部材に跨がって遺影額の隅部それぞれに配置されていて、枠部材に対して相対的に移動自在にして嵌め合わせられている正面から見てＬ字状を呈する伸縮枠材と、移動調整後の枠部材、伸縮枠材相互の嵌め合わせ位置を固定する伸縮固定手段と、収納した遺影額の正面における四囲を支持するよう枠部材あるいは伸縮枠材のいずれかに設けられた額支持片と、遺影額の背面で遺影額を枠部材に固定するストッパーとを備えることを特徴とする遺影用額縁装置。
【請求項２】
枠部材は、遺影額の四囲の辺縁の前後でほぼ直交するように配置される所定幅員の帯板状を呈し、伸縮枠材は、枠部材における外側面がわで枠部材に噛み合う嵌合縁を有し、また枠部材の正面がわである遺影額における正面の四囲を支持する前記の額支持片を有していて、遺影額の隅部それぞれの外縁部分に配置されるよう、外縁部分に沿って正面から見てＬ字状に折曲形成されている請求項１に記載の遺影用額縁装置。
【請求項３】
枠部材の内側面には保護材を、額支持片の内側面には保護シールをそれぞれ貼着してある請求項１または２に記載の遺影用額縁装置。
【請求項４】
伸縮固定手段は、枠部材の端部それぞれに固着した固定ボルトと、固定ボルトがスライド自在にして嵌め入れられるよう伸縮枠材の長手方向に沿って開穿されているスライド長孔と、スライド長孔から外出する固定ボルトにねじ止めされる固定ナットとから成る請求項１乃至３のいずれかに記載の遺影用額縁装置。
【請求項５】
ストッパーは、遺影額の背面に当接するストッパー本体の側部に、前記枠部材の内側面に磁着可能にした磁石体を備えて成る請求項１乃至４のいずれかに記載の遺影用額縁装置。
【請求項６】
遺影カバーは、額縁本体における周縁部分を覆って遺影額の遺影部分を外観させるように切り抜き部分を中央に設けた四囲枠状の化粧枠板と、この化粧枠板の後方に至るに伴い次第に拡開して化粧枠板に折曲形成されている側板と、額縁本体の正面に当接支持させる止着部とを備えている請求項１乃至５のいずれかに記載の遺影用額縁装置。
【考案の詳細な説明】
【技術分野】
【０００１】
この考案は、葬儀時等の祭壇に飾られる遺影写真等を収納支持している遺影額に大小があってもその大小に対応調整して、遺影を体裁良く飾ることができるようにした遺影額縁装置に関する。
【背景技術】
【０００２】
従来から葬儀時には、参列者等が故人のいにしえを懐かしんだり、またその遺徳を偲んだりするように故人の遺影を祭壇に飾っている。ただ、その遺影は、通常では予め事前に用意されているものではないから、逝去時に、故人を撮影した写真の中から遺影として飾るにふさわしいものを選択し、それを引き延ばして使用することが多く、またそれは突然のことであるために遺影の選択・用意は急遽行われるものとなる。そうすると、遺影として用意される写真等は大きさその他が様々であり、これを葬儀社において体裁良く祭壇に飾るには遺影写真を収納する額縁自体も種々な大きさのものとなる。
【０００３】
こうした額縁の異なる大きさに対応すべく、大きさが異なる額縁が収納できるように収納内形大きさを種々に設定することで例えば所定肉厚の発泡合成樹脂材にてほぼ四角枠状に形成した異なる幾種類かの収納枠体を予め用意しておき、収納内形部分に嵌め入れた額縁を例えば収納内形部分の周囲に刺し込むピン材によって額縁を固定支持している。ただ、これによると、多数の異なる収納枠体を予じめ用意しておかなくてはならないからその保管が面倒であり、また繰り返しの使用はピン材の刺し込み部分が劣化し、額縁の支持安定性が得られなくなるのである。
【０００４】
これを解消すべく例えば特許文献１に示される遺影用額縁が提案されており、この遺影用額縁は、遺影の四周を囲むように、正面から見てＬ字形を呈して一方の対角線上に配される雄型フレームと、同じく正面から見てＬ字形を呈して他方の対角線上に配される雌型フレームとを縦方向、横方向に相対的に移動可能となるように嵌め合わせてねじ止めできるようにしてあると共に、雌型フレームそれぞれの内縁部分に遺影を支持する支持縁を形成して成るものである。
【先行技術文献】
【特許文献】
【０００５】
【特許文献１】特開２００２−０８５２２２号公報
【考案の概要】
【考案が解決しようとする課題】
【０００６】
ところがこの特許文献１に係る遺影用額縁では、雌・雄型フレーム相互間の相対的な移動によって遺影の周囲を内縁部分で押さえ挟み込むように支持するから、遺影の四周にきっちりと合わせる位置で雌・雄型フレームそれぞれをねじ止めする必要があり、きっちりと合致していないと遺影が脱落する虞れもある。また、位置決めねじ止め後の雌・雄型フレームにおける正面は、移動調整後のねじ止め構造がそのままむき出しの外観された状態であるから、この周縁部分をその都度例えば葬儀用花などによって飾って隠蔽しなければならず、面倒でもある。
【０００７】
そこでこの考案は上述したような従来存した諸事情に鑑み案出されたもので、祭壇等に飾られる遺影額を囲むように構成する部材を相対的に移動可能に嵌め合わせることで、遺影額に大小があってもそれらに対応して収納支持区域の縦方向の高さ、横方向の幅員を変更調整でき、変更調整後では遺影額をしっかりと安定性良く固定支持できると共に、正面における遺影の周囲部分を体裁良く覆うことで遺影の尊厳性をも保持できるようにした遺影用額縁装置を提供することにある。
【課題を解決するための手段】
【０００８】
上述した課題を解決するため、この考案にあっては、後述する考案を実施するための形態における使用符号を付記して説明すると、遺影額Ｐを収納支持する収納支持区域が遺影額Ｐの高さ、幅員に対応して調整可能にされている額縁本体１と、額縁本体１内に収納された遺影額Ｐにおける正面周囲を隠蔽する遺影カバー２０とから成り、額縁本体１は、遺影額Ｐにおける四囲の辺縁で配置される枠部材２と、縦・横方向で隣り合う枠部材２に跨がって遺影額Ｐの隅部それぞれに配置されていて、枠部材２に対して相対的に移動自在にして嵌め合わせられている正面から見てＬ字状を呈する伸縮枠材３と、移動調整後の枠部材２、伸縮枠材３相互の嵌め合わせ位置を固定する伸縮固定手段１０と、収納した遺影額Ｐの正面における四囲を支持するよう枠部材２あるいは伸縮枠材３のいずれかに設けられた額支持片５と、遺影額Ｐの背面で遺影額Ｐを枠部材２に固定するストッパー１５とを備えることを特徴とする。
枠部材２は、遺影額Ｐの四囲の辺縁の前後でほぼ直交するように配置される所定幅員の帯板状を呈し、伸縮枠材３は、枠部材２における外側面がわで枠部材２に噛み合う嵌合縁４を有し、また枠部材２の正面がわである遺影額Ｐにおける正面の四囲を支持する前記の額支持片５を有していて、遺影額Ｐの隅部それぞれの外縁部分に配置されるよう、外縁部分に沿って正面から見てＬ字状に折曲形成されていることで構成することができる。
枠部材２の内側面には保護材７を、額支持片５の内側面には保護シール６をそれぞれ貼着して構成することができる。
伸縮固定手段１０は、枠部材２の端部それぞれに固着した固定ボルト１１と、固定ボルト１１がスライド自在にして嵌め入れられるよう伸縮枠材３の長手方向に沿って開穿されているスライド長孔１２と、スライド長孔１２から外出する固定ボルト１１にねじ止めされる固定ナット１３とから構成することができる。
ストッパー１５は、遺影額Ｐの背面に当接するストッパー本体の側部に、前記枠部材２の内側面に磁着可能にした磁石体１６を備えて構成することができる。
遺影カバー２０は、額縁本体１における周縁部分を覆って遺影額Ｐの遺影部分を外観させるように切り抜き部分を中央に設けた四囲枠状の化粧枠板２１と、この化粧枠板２１の後方に至るに伴い次第に拡開して化粧枠板２１に折曲形成されている側板２２と、額縁本体１の正面に当接支持させる止着部２３とを備えて構成することができる。
【０００９】
以上のように構成されたこの考案に係る遺影用額縁装置にあって、枠部材２に伸縮可能にして組み合わせた伸縮枠材３から成る額縁本体１は、祭壇に飾る遺影額Ｐの縦方向、横方向の大きさそれぞれに対応して自在に調整させて形成した収納支持区域内に遺影額Ｐを収納支持させ、遺影カバー２０は伸縮調整構造部分を隠蔽して、遺影部分のみを外観させる。
額縁本体１において、枠部材２は遺影額Ｐの四囲に配される帯板状で、伸縮枠材３は遺影額Ｐの隅部に配したＬ字状であることで、枠部材２に対して遺影額Ｐの縦方向、横方向に沿って伸縮枠材３を伸縮させることで遺影額Ｐの縦、横それぞれの寸法に合わせた遺影額Ｐに額縁本体１における収納支持区域の内がわをしっくりと当接支持させる。
伸縮固定手段１０は、枠部材２に対する伸縮枠材３の相対的な移動調整に際し、枠部材２の端部の最大限位置にまで固定ボルト１１によってスライド長孔１２に沿って伸縮枠材３を伸張させ、固定ボルト１１に対する固定ナット１３のねじ止めによって調整後の位置を固定保持させる。
額縁本体１の収納支持区域内に装入支持されて額支持片５に正面がわが当接支持されている遺影額Ｐは、枠部材２に磁着させたストッパー１５によって遺影額Ｐの背面で額縁本体１内に押圧させることで、遺影額Ｐをこれの内外面からしっかりと保持させる。
額縁本体１の正面がわで装着した遺影カバー２０において、化粧枠板２１が額縁本体１の四囲を化粧した状態で中央の切り抜き部分によって遺影を外観させ、また遺影カバー２０の不使用時の保管時では拡開させた側板２２が、例えば各種色彩のものとして用意される複数の遺影カバー２０自体を重ね合わせさせ、その保管をコンパクトにさせる。
【考案の効果】
【００１０】
この考案は以上説明したように構成されているため、葬儀時の祭壇で飾られる故人の遺影写真等を収納した遺影額Ｐが縦方向、横方向で様々な大きさで用意されるとき、その大きさに対応して伸縮調整させることで形成した収納支持区域内で遺影額Ｐを収納支持でき、また遺影部分を体裁良く外観できるようにする。しかも、伸縮調整後では額縁本体１内に収納支持した遺影額Ｐはその四囲、隅部それぞれからしっかりと支持され、収納支持区域内から脱落することもなく、不使用時では額縁本体１自体をコンパクトに縮小して小さくでき、種々の異なる色彩のものとして予め用意される複数の遺影カバー２０も重ね合わせることでコンパクトに纏めておくことができる。
【００１１】
すなわちこれはこの考案において、遺影額Ｐの大きさに対応して収納支持区域が調整可能にされている額縁本体１と、遺影額Ｐの正面周囲を隠蔽する遺影カバー２０とから成り、額縁本体１は、遺影額Ｐにおける四囲で配置される枠部材２と、縦・横方向で隣り合う枠部材２に跨がって遺影額Ｐの隅部それぞれに配置されて枠部材２に移動自在に嵌め合わせたＬ字状の伸縮枠材３と、枠部材２、伸縮枠材３相互の嵌め合わせ位置を固定する伸縮固定手段１０と、遺影額Ｐの正面の四囲を支持する額支持片５と、遺影額Ｐの背面で遺影額Ｐを枠部材２に固定するストッパー１５とを備えるからである。これによって、大きさが異なる各種の遺影額Ｐの収納保持、遺影額Ｐに合わせて収納支持区域大きさを伸縮させる伸縮構造部分の遺影カバー２０による隠蔽化粧、不使用時のコンパクトな保管等を図ることができる。
【００１２】
また、額縁本体１は、遺影額Ｐの四囲に配した枠部材２に遺影額Ｐの隅部に配して組み合わせられる伸縮枠材３は、枠部材２における外側面がわで枠部材２に噛み合う嵌合縁４を有し、また枠部材２の正面がわである遺影額Ｐにおける正面の四囲を支持する前記の額支持片５を有して正面から見てＬ字状に折曲形成されているから、枠部材２に対して伸縮枠材３を相対的に移動させるとき、伸縮固定手段１０の固定ボルト１１がスライド長孔１２に嵌め入れてあることとも相俟ち、互いに外れることもなく円滑に移動調整でき、遺影額Ｐの縦・横方向での大きさに速やかに対応できる。
【００１３】
伸縮固定手段１０は、枠部材２の端部それぞれに固着した固定ボルト１１、伸縮枠材３に長手方向に沿って開穿されていて固定ボルト１１がスライド自在にして嵌め入れられるスライド長孔１２、スライド長孔１２から外出する固定ボルト１１にねじ止めされる固定ナット１３から成ることで、固定ボルト１１に対する固定ナット１３のねじ止めで、枠部材２に対する縦・横方向で隣り合う伸縮枠材３の相対的な移動調整後の位置を確実に固定できる。また、この固定ナット１３は、遺影額Ｐ周囲の外側方に位置しているから、遺影カバー２０によって額縁本体１が化粧されるとき、遺影カバー２０の側板２２によって隠蔽され、良好な体裁を損なうこともない。
【００１４】
ストッパー１５は、遺影額Ｐの背面に当接して枠部材２の内側面に磁着可能にした磁石体１６を備えているから、額支持片５に正面がわが当接されて額縁本体１内に装入配置されている遺影額Ｐを後方から簡単に固定的に支持でき、例えば立脚状に飾られる遺影額Ｐが額縁本体１から脱落することなく、その装入支持を安定したものとさせる。
【００１５】
遺影カバー２０は、切り抜き部分を中央に設けた四囲枠状の化粧枠板２１、後方に至るに伴い次第に拡開して折曲形成された側板２２、額縁本体１の正面に当接支持させる止着部２３を備えることで、額縁本体１の収納支持区域内に収納保持した遺影額Ｐにおける遺影部分を切り抜き部分から体裁良く外観させることができ、また止着部２３によって額縁本体１に簡単、確実に装着できる。しかも不使用時では拡開している側板２２によって複数のものを重ね合わせることができ、例えば一つの額縁本体１に対して使用が予定される色彩を異ならしめた複数の遺影カバー２０を纏めた状態でコンパクトに保管でき、また、これによって葬儀会場へも間違いなく簡単に搬入運搬できるのである。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す額縁本体、遺影カバーの配置状態の斜視図である。
【図２】同じく遺影額を収納支持区域内に固定支持した一部切欠の要部断面図である。
【図３】同じく額縁本体における要部の分解斜視図である。
【図４】同じく大小で異なる遺影額の大きさに対応した伸縮調整時の一部の拡大図を含む額縁本体の一部切欠正面図である。
【考案を実施するための形態】
【００１８】
以下、図面を参照してこの考案を実施するための一形態を説明すると、図において示される符号１は所定大きさの遺影額Ｐを収納保持するよう、この遺影額Ｐの外形大きさに対応して遺影額Ｐを収納すべく内側である収納支持区域の縦方向の高さ、横方向の幅員が調整可能にされている額縁本体であり、この額縁本体１における正面の周縁には、額縁本体１内に収納された遺影額Ｐにおける正面の周囲を隠蔽する遺影カバー２０が装着されるようにしてある。
【００１９】
額縁本体１は、正面から見てほぼ縦長矩形状の遺影額Ｐにおける四囲の辺縁の前後でほぼ直交するように配置される枠部材２と、縦・横方向で隣り合う枠部材２に跨がるようにして遺影額Ｐの隅部それぞれに配置されていて、枠部材２に対して相対的に移動自在にして嵌め合わせられている正面から見てＬ字状を呈する伸縮枠材３と、収納支持区域の大きさの移動調整後で枠部材２、伸縮枠材３相互の嵌め合わせ位置を固定する伸縮固定手段１０と、収納した遺影額Ｐの正面における四囲を支持するよう枠部材２あるいは伸縮枠材３のいずれかに設けられた額支持片５と、遺影額Ｐの背面で遺影額Ｐを枠部材２に固定するストッパー１５とを備える。
【００２０】
枠部材２は、遺影額Ｐの四囲の辺縁に対して当接面が突き当て状にほぼ直交するように前後で配置される所定幅員の例えば平坦帯板状を呈し、収納支持が予定される遺影額Ｐのうち、最も小さい遺影額Ｐの四囲それぞれの辺縁長さに比し小さくはない長さとされていて、遺影額Ｐの高さに対応した縦状、幅員に対応した横状にしてそれぞれで相対峙した２対の状態で配置されている。尚、この枠部材２は、後述するように磁着可能な素材としてある。
【００２１】
伸縮枠材３は、図２、図３に示すように所定幅員の帯板材によって、枠部材２の外側から嵌め合わせられるよう枠部材２における外側面がわで枠部材２に噛み合う嵌合縁４を有し、また枠部材２の正面がわである遺影額Ｐにおける正面の四囲を当接支持する前記の額支持片５を有していて、遺影額Ｐの隅部それぞれの外縁部分に配置されるよう、外縁部分に沿って正面から見てＬ字状に折曲形成されている。
【００２２】
嵌合縁４は、枠部材２のほぼ肉厚分に相当する内法幅員を備えた断面で溝形状を呈するよう伸縮枠材３の一方の縁部に形成され、他方の縁部である額支持片５との間で枠部材２に伸縮枠材３がしっかりと支持されるものとしてあって、枠部材２と伸縮枠材３との相対的移動をも容易にしている。
【００２３】
額支持片５は、伸縮枠材３自体の正面がわの他方の縁部に、伸縮枠材３に対してほぼ直角状に折曲されることで形成されており、伸縮枠材３自体の背面側から額縁本体１内に装入される遺影額Ｐの正面がわの隅部の縁部分が当接されるようになっており、縁部分との当接を保護するように内側面には帯状の保護シール６が貼着されている。また、この額支持片５は伸縮枠材３を含め、後述するように磁着可能な素材としてある。
【００２４】
また、枠部材２は、これの内側面が額縁本体１の収納支持区域内に装入される遺影額Ｐの周縁を半ば押圧した状態で当接支持することから、遺影額Ｐに対する損傷防止の観点から例えばゴム材等の軟弾性素材による保護材７が貼着されている。この保護材７は、枠部材２における中央部分には貼着されておらず、後述するストッパー１５が枠部材２に直接に磁着可能なようにしてある。
【００２５】
このような枠部材２と伸縮枠材３とは、相対的に移動自在に嵌め合わせられていて、移動調整後の嵌め合わせ位置で固定させる前記の伸縮固定手段１０は、図示例にあっては、枠部材２の端部それぞれに固着した固定ボルト１１と、固定ボルト１１がスライド自在にして嵌め入れられるよう伸縮枠材３の長手方向に沿って開穿されているスライド長孔１２と、スライド長孔１２から外出する固定ボルト１１にねじ止めされる固定ナット１３とから成る（図３参照）。そして、固定ボルト１１それぞれは、遺影額Ｐにおける隣り合う隅部それぞれに配置される伸縮枠材３における縦部分、横部分それぞれに開穿されているスライド長孔１２それぞれに嵌め入れられていて、枠部材２の端部それぞれでは、隣り合ういずれか一方の伸縮枠材３の縦部分が、あるいは他方の伸縮枠材３の横部分が相対的に移動自在にして嵌め合わせられている。
【００２６】
こうすることで、遺影額Ｐの四囲の辺縁に配置される枠部材２それぞれの端部で遺影額Ｐの隅部に配置される伸縮枠材３がスライド自在となり、図４に示すように額縁本体１における収納支持区域が遺影額Ｐの大きさに対応して伸縮調整できるようにしている。遺影額Ｐの大きさに対応した位置では固定ナット１３を固定ボルト１１にしっかりとねじ止めすることで位置決め固定され、遺影額Ｐをこれの四囲から収納支持区域内で固定支持できるようにしている。
【００２７】
また、額縁本体１内に遺影額Ｐを装入配置後、遺影額Ｐを額縁本体１内で固定支持するストッパー１５が用意されており、このストッパー１５は、図示のように遺影額Ｐの背面に当接するストッパー本体の側部に、前記枠部材２の内側面に磁着可能にした磁石体１６を備えて成り、例えば直方体状を呈する。
【００２８】
額縁本体１の収納支持区域内に遺影額Ｐを装入配置した状態で、額縁本体１の正面を化粧する遺影カバー２０が額縁本体１に着脱自在に装着されるようにしてある。この遺影カバー２０は、額縁本体１内に装入配置した遺影額Ｐにおける周縁部分、すなわち額縁本体１における伸縮構造部分である周縁部分を覆って遺影部分を外観させるようにしたほぼ矩形状の切り抜き部分を中央に設けた四囲枠状の化粧枠板２１と、この化粧枠板２１の例えば左右側部に後方に至るに伴い次第に拡開して化粧枠板２１に折曲形成されている側板２２と、額縁本体１の正面に当接支持させるよう化粧枠板２１の背面に設けた止着部２３とを備える。止着部２３は、額縁本体１における額支持片５の正面に磁着可能にした磁石鉄粉が混練されている帯状にしたゴム材製のものとして貼着されている。
【００２９】
この遺影カバー２０は、額縁本体１における伸縮大きさに対応して各種大きさのものとしてさらには故人の遺影に応じて選択される各種色彩のものとして予め用意されていて、また化粧枠板２１、側板２２の外側面は例えば各種色彩の不織布材製のカバーによって被覆されている。
【００３０】
この遺影カバー２０において、側板２２が後方に至るに伴い次第に拡開されていることで、複数の遺影カバー２０を重ねて保管しておくことができ、特に遺族あるいは故人の希望等によって化粧色が各種選択されるとき、それらに対応した各種色彩の複数の遺影カバー２０を纏めておくのに便利である。
【００３１】
次にこれの使用の一例を説明すると、葬儀時の祭壇等に飾る遺影額Ｐの大きさに対応して額縁本体１においては、枠部材２に対して伸縮枠材３をスライド調整することで形成した収納支持区域における形成した収納枠部材２の内側面で遺影額Ｐの四囲を囲み（図４参照）、遺影額Ｐ正面の周囲を額支持片５に当接させてしっかりと遺影額Ｐを支持するようにする。次いで、図１に示すように額縁本体１の背面がわで、遺影額Ｐの背面に当接させたストッパー１５を枠部材２の内側面に磁着させ（図２参照）、額縁本体１の収納支持区域内で遺影額Ｐを額支持片５がわに押圧させるようにして支持する。その後、額縁本体１の正面に遺影カバー２０を装着し、この遺影カバー２０の中央切り抜き部分から遺影を外観できるようにする。このときの遺影カバー２０は、遺影額Ｐの大きさに対応して伸縮調整された額縁本体１の全体を覆う大きさに予め設定されている所定の色彩のものを選定するのである。
【符号の説明】
【００３２】
Ｐ…遺影額
１…額縁本体                            ２…枠部材
３…伸縮枠材                            ４…嵌合縁
５…額支持片                            ６…保護シール
７…保護材
１０…伸縮固定手段                      １１…固定ボルト
１２…スライド長孔                      １３…固定ナット
１５…ストッパー                        １６…磁石体
２０…遺影カバー                        ２１…化粧枠板
２２…側板                              ２３…止着部
【図１】
0003205029.tif 000003
【図２】
0003205029.tif 000004
【図３】
0003205029.tif 000005
【図４】
0003205029.tif 000006